(57)【要約】【課題】  スタック投射における黒挿入制御において、使用する画像投射装置の状態に適した明るさで動画ボケを抑制することを可能にした画像投射装置を提供すること。【解決手段】  光源手段と、入力画像に基づいて前記光源手段からの光を変調する光変調手段と、光変調手段に画像を遅延表示する遅延駆動手段と、前記光源手段を制御して黒挿入制御する黒挿入制御手段と、前記光変調素子の応答情報を計測する計測手段と、を有することを特徴とする構成とした。【選択図】  図２
2018101076.tif 000002
【特許請求の範囲】
【請求項１】
光源手段と、
入力画像に基づいて前記光源手段からの光を変調する光変調手段と、
光変調手段に画像を遅延表示する遅延駆動手段と、
前記光源手段を制御して黒挿入制御する黒挿入制御手段と、
前記光変調素子の応答情報を計測する計測手段と、
を有することを特徴とする画像表示装置。
【請求項２】
前記画像投射装置は、外部機器と情報を通信する通信手段を有することを特徴とする請求項１に記載の画像投射装置。
【請求項３】
それぞれの投射画像を投射面上でスタック投射可能に設置された複数の画像投射装置において、複数の画像投射装置をいくつかのグループに分類し、グループ毎に光変調素子の安定開始時間が共通となるように遅延時間を設定して光変調手段に画像を表示し、前記光変調素子の安定開始時間に基づき黒挿入制御することを特徴とする請求項１または２に記載の画像投射装置。
【請求項４】
前記グループは各画像投射装置の光変調素子の安定時間に基づき、分類されることを特徴とする請求項１乃至３のいずれか１項に記載の画像投射装置。
【請求項５】
前記グループは各画像投射装置の投射画像の明るさに基づき、分類されることを特徴とする請求項３または４に記載の画像投射装置。
【請求項６】
前記遅延駆動手段は前記光変調手段の安定開始時間に基づいて遅延時間を設定することを特徴とする請求項１乃至５のいずれか１項に記載の画像投射装置。
【請求項７】
前記遅延時間は安定時間が閾値を上回った場合、各グループの安定時間が重複するように遅延時間を設定し、安定時間が閾値を下回った場合、各グループの安定時間が重複しないように遅延時間を設定することを特徴とする請求項１乃至６のいずれか１項に記載の画像投射装置。
【請求項８】
前記閾値は任意に変更可能なことを特徴とする請求項７に記載の画像投射装置。
【請求項９】
前記閾値はフレームレートに基づき変更することを特徴とする請求項７または８に記載の画像投射装置。
【請求項１０】
前記黒挿入設定手段は明るさ優先モードと動画視認性優先モードを有し、前記遅延時間は前記明るさ優先モードが選択された場合、各グループの安定時間が重複するように遅延時間を設定し、前記動画視認性優先モードが選択された場合、各グループの安定時間が重複しないように遅延時間を設定することを特徴とする請求項１乃至９のいずれか１項に記載の画像投射装置。
【請求項１１】
前記遅延時間が各グループの安定時間が重複しないように遅延時間を設定する場合、各グループの明るさを一定に保つように制御することを特徴とする請求項１乃至１０のいずれか１項に記載の画像投射装置。
【請求項１２】
複数の画像投射装置で構成され、
複数の画像投射装置の光変調素子の安定時間を算出するステップと、
光変調素子の安定時間に応じて各グループの安定時間が重複するように遅延時間を設定して黒挿入を行う、または、各グループの安定時間が重複しないように遅延時間を設定して黒挿入を行うことを特徴とする画像投射方法。
【請求項１３】
前記画像投射方法は複数の画像投射装置を複数のグループに分類するステップをさらに有することを特徴とする請求項１１に記載の画像投射方法。
【発明の詳細な説明】
【技術分野】
【０００１】
本発明は、液晶プロジェクタなどの画像投射装置に関し、特にスタック投射時における動画ボケの改善に関するものである。
【背景技術】
【０００２】
従来、光変調素子を用いた表示装置などに代表されるホールド型表示デバイスでは動画表示時に残像が視認される動画ボケと呼ばれる問題があった。この動画ボケを改善する技術としてサブフレーム期間に黒を挿入する黒挿入をいう技術が知られている。サブフレーム期間とは１フレーム期間を複数に分割した期間のことである。さらに、「黒を挿入」する方法は、光変調素子により黒を表示する方法と、画像の走査開始時間に基づいて光源の消点灯を行う方法が知られている。さらに、複数のプロジェクタを用いて黒挿入を行い、単体投射時より動画ボケを改善するという技術として例えば特許文献１、２がある。
【０００３】
特許文献１は、複数の画像投射装置を用い、画像投射装置それぞれの光変調素子への書き込み開始時間をそれぞれ任意に変更し、それぞれの光源からの光を光変調素子に照射する時間を任意に変更する。それにより、各画像投射装置の光変調素子の安定時間で各フレームの画像を交互に投射することで、動画ボケを抑制するものである。特許文献２は、複数の画像投射装置を用いてスタック投射を行い、それぞれの画像投射装置が連続したフレームの各画像を所定の時間差を有して交互に投射することにより、動画ボケを抑制するものである。
【先行技術文献】
【特許文献】
【０００４】
【特許文献１】特開２００６−１１３３２６号公報
【特許文献２】特開２００６−１９５２０６号公報
【発明の概要】
【発明が解決しようとする課題】
【０００５】
しかしながら、上述の特許文献１に開示された従来技術では、単体投射で十分な安定時間を有している場合であっても、各フレームの画像を交互に投射するので、明るさが低下してしまう。また、上述の特許文献２に開示された従来技術では、同一期間に異なるフレームの画像が表示されるため二重像が発生してしまう。
【０００６】
そこで、本発明の目的は、スタック投射における黒挿入制御において、使用する画像投射装置の状態に適した明るさで動画ボケを抑制することを可能にした画像投射装置を提供することである。
【課題を解決するための手段】
【０００７】
上記目的を達成するために、本発明は光源手段と、
入力画像に基づいて前記光源手段からの光を変調する光変調手段と、
光変調手段に画像を遅延表示する遅延駆動手段と、
前記光源手段を制御して黒挿入制御する黒挿入制御手段と、
前記光変調素子の応答情報を計測する計測手段と、
を有することを特徴とする。
【発明の効果】
【０００８】
本発明によればスタック投射における黒挿入制御において、使用する画像投射装置の状態に適した明るさで動画ボケを抑制することを可能にした画像投射装置を提供することができる。
【図面の簡単な説明】
【０００９】
【図１】実施例１におけるプロジェクタによるスタック投射の概要を示す構成図
【図２】実施例１におけるプロジェクタの構成を示すブロック図
【図３】実施例１における黒挿入設定方法を示したフローチャート
【図４】実施例１における安定時間取得を示したフローチャート
【図５】安定時間の説明図
【図６】実施例１における黒挿入非重複駆動設定方法を示したフローチャート
【図７】黒挿入非重複設定の説明図
【図８】実施例１における黒挿入重複駆動設定方法を示したフローチャート
【図９】黒挿入重複設定の説明図
【図１０】実施例２における画像投射システムの構成を示すブロック図
【図１１】実施例２における黒挿入設定方法を示したフローチャート
【図１２】実施例２における安定時間取得方法を示したフローチャート
【図１３】実施例２における黒挿入非重複駆動設定方法を示したフローチャート
【図１４】実施例２における黒挿入重複駆動設定方法を示したフローチャート
【発明を実施するための形態】
【００１０】
以下に、本発明の好ましい実施の形態を、添付の図面に基づいて詳細に説明する。
［実施例１］
以下、図１乃至９を参照して、本発明の第1の実施例による、スタック投射における黒挿入制御において、使用する画像投射装置の状態に適した明るさで動画ボケを抑制することを可能にした画像投射装置について説明する。
【００１１】
図１は本発明の実施形態１に係るプロジェクタによるスタック投射の概要を示す構成図である。実施形態１に係るプロジェクタによるスタック投射では、画像出力装置であるＰＣ１台と画像投射装置であるプロジェクタ複数台とこれら複数のプロジェクタから投射された画像を表示するスクリーンにより構成される。このとき、各プロジェクタはそれぞれの投射画像がスクリーン上で重複可能なように配置する。実施例１に置いてはプロジェクタ１はマスタプロジェクタ、プロジェクタ２はスレーブプロジェクタとする。
【００１２】
図２は、図１で示した本発明の実施形態にかかわる、画像投射装置であるプロジェクタ１のブロック図である。プロジェクタ１は、入力信号に応じて液晶パネル３０により変調された光を投射手段である投射レンズ８０を介して、投射像としてスクリーンなどの被投射面に投射する画像投射装置である。プロジェクタ１は、入力部１０、画像処理エンジン２０、液晶パネル３０、制御マイコン４０、光源ユニット５０、光センサ６０、メモリ７０、投射レンズ８０を有する。
【００１３】
入力部１０は、映像信号入力部１１と操作部１２と通信部１３を有し、外部からの入力を受け付ける。映像信号入力部１１は、単一または複数の映像信号を受信し、画像処理エンジン２０へ伝送する。操作部１２は、ユーザからの各種操作を受け付ける不図示のスイッチ、ボタン、リモコン受光部などから構成される。通信部１３はＰＣや他のプロジェクタと各種通信を行う。
【００１４】
画像処理エンジン２０は同期信号取得部２１と遅延生成部２２を有し、映像信号入力部１０からの入力映像信号に対して各種画像処理や同期タイミングの変更を行い、処理された出力映像信号を液晶パネル３０へ出力する画像処理手段である。また、画像処理エンジン２０は、入力信号の有無にかかわらず、内部で生成された画像を出力映像信号として出力することができる。同期信号取得部２１は、映像信号に含まれる水平同期信号と垂直同期信号を検出し、入力映像信号に含まれる各フレームの更新タイミングを取得する。
【００１５】
遅延生成部２２は、画像処理エンジン２０により各種処理が施された映像信号の液晶パネル３０への書き込み開始時間を任意の時間遅延させる。液晶パネル３０は、画像処理エンジン２０により変換された入力映像信号に基づいて液晶を配向させ、光源ユニット５０からの光を変調する光変調パターンを形成する。
【００１６】
制御マイコン４０は、マイクロコンピュータから構成される制御手段であり、光源制御部４１と黒挿入制御部４２を有し、操作部５０からの入力に従いプロジェクタ１の各部を制御する。光源制御部４１は、Ｄ／Ａコンバータ制御による供給電力制御により、光源ユニット６０の発する光量を制御する。黒挿入制御部４２は黒挿入設定部４２１と黒挿入駆動部４２２を有し、黒挿入に関する光源制御を行う。黒挿入設定部４２１は黒挿入のタイミングと黒挿入時のＤｕｔｙ比を設定する。黒挿入駆動部４２２は黒挿入が実行されている間、黒挿入設定部４２１の設定に従って光源ユニット５０を制御し、黒挿入駆動を行う。
【００１７】
光源ユニット５０は、ＬＥＤ駆動回路５１とＬＥＤユニット５２を有し、制御マイコン４０からの駆動電力に基づき、投射する光を生成する光源手段として機能する。ＬＥＤ駆動回路５１は、光源制御部４１から供給される供給電力と、黒挿入駆動部４２２で駆動される駆動波形に基づいてＬＥＤユニット５２を駆動する。ＬＥＤユニット５２は複数のＬＥＤから構成され、各ＬＥＤはＬＥＤ駆動回路５１から出力される駆動信号に基づき個別に光量制御される。
【００１８】
光センサ６０は、プロジェクタ１内部に配置され、液晶パネル３０が変調した光を検知する、光センシング手段として機能する。メモリ７０は、プロジェクタ１駆動に関する各種設定値を記憶する記憶手段として機能する。投写レンズ８０は、液晶パネル３０からの光から投影像を形成する、投射手段として機能する。
【００１９】
図５は、実施例１における黒挿入設定方法を示したフローチャートである。黒挿入設定が開始されるとマスタプロジェクタがスレーブプロジェクタと通信を行いながら各種パラメータの設定を行う。ステップ１０１では、マスタ、スレーブの各プロジェクタが自身の安定時間を算出する。図４を使用してステップ１０１で行われる安定時間算出方法を説明する。ステップ１０１ａではマスタプロジェクタが通信部１３を介してスレーブプロジェクタに安定時間取得開始を通知する。
【００２０】
ステップ１０１ｂではマスタ、スレーブの各プロジェクタがそれぞれテストパターン１、２を表示する。ここで表示するテストパターンは例えばテストパターン１＝全白画像、テストパターン２＝全黒画像である。ステップ１０１ｃでは各プロジェクタが光センサ６０を用いてテストパターン１、２の切替に対する安定開始時間と安定終了時間を取得する。ここで、図５を用いて安定時間について説明する。安定開始時間とは図５に示すように、液晶パネル３０に画像データの書き込みを開始してから出力が安定するまでの時間である。
【００２１】
安定終了時間とは液晶パネル３０に画像データの書き込みを開始してから、次の画像データ書き込みによって出力が不安定になるまでの時間である。安定時間とは、上記安定開始時間から上記安定終了時間までの時間を指す。図４に戻って、ステップ１０１ｄではスレーブプロジェクタが通信部を通じてステップ１０１ｃで取得した自身の安定開始時間、安定終了時間、安定時間をマスタプロジェクタに通知する。
【００２２】
図３に戻りステップ１０２ではステップ１０１で取得した各プロジェクタの安定時間の安定時間に基づき処理の分岐を行う。取得したプロジェクタの安定時間の最小値が閾値を下回っていた場合、ステップ１０３に遷移し、そうでなければステップ１０４へ遷移する。ここで用いる閾値は例えばフリッカを感知しない安定時間や任意の明るさを確保できる安定時間等を設定する。また、閾値は任意に変更可能である。また、ステップ１０２における処理の分岐判定方法は、入力信号のフレームレートにより分岐してもよいし、明るさ優先モードや動画視認性モードを設け、モードに応じて分岐する等適宜変更可能である。
【００２３】
ステップ１０３では黒挿入非重複駆動設定を行う。図６、７を用いて黒挿入非重複駆動設定方法を説明する。図６は実施例１における黒挿入非重複駆動設定方法を示したフローチャートである。図７は黒挿入非重複設定の説明図である。まず、図６に示したＳ１０３ａでは、ステップ１０１で取得した安定時間に応じて各プロジェクタを複数のグループに分類する。グループの分類方法は例えば、各グループの個数が等しくなるように各プロジェクタの安定時間が近い順に分類する。なお、グループの分類方法については各グループの明るさが近くなるように分類する等適宜変更可能である。
【００２４】
ステップ１０３ｂでは図７中のＧｒ．ｎ液晶応答に示すように、グループｎのプロジェクタ全てをグループ内で最も安定開始時間が遅いプロジェクタと同じ安定開始時間となるように画像表示遅延時間の設定を行う。設定方法は、マスタプロジェクタが各プロジェクタに設定する画像表示遅延時間を算出し、通信部を介してスレーブプロジェクタに画像表示遅延時間を送信する。スレーブプロジェクタは受信した画像表示遅延時間を遅延生成部２２に設定する。
【００２５】
ステップ１０３ｃでは、図７中のＧｒ．ｎ黒挿入光源に示すように、グループｎのプロジェクタ全てにステップ１０３ｂで設定した安定開始時間と等しくなるよう黒挿入開始時間を設定する。設定方法は、マスタプロジェクタが各プロジェクタに設定する黒挿入開始時間を算出し、通信部を介してスレーブプロジェクタに黒挿入開始時間を送信する。スレーブプロジェクタは受信した黒挿入開始時間を黒挿入設定部４２１に設定する。
【００２６】
ステップ１０３ｄでは、図７中のＧｒ．ｎ黒挿入光源に示すように、グループｎのプロジェクタ全てにグループ内最小の安定時間に合わせて黒挿入終了時間を設定する。黒挿入終了時間算出例を式（１）に示す。
【００２７】
黒挿入終了時間  ＝  黒挿入開始時間  ＋  最小安定時間
算出された黒挿入終了時間は、マスタプロジェクタが通信部１３を介して同一グループ内のスレーブプロジェクタに送信する。スレーブプロジェクタは受信した黒挿入終了時間を黒挿入設定部４２１に設定する。
【００２８】
ステップ１０３ｅでは全グループの設定が終了しているかを判定し、終了していなければステップ１０３ｂへ遷移し、終了していれば黒挿入非重複駆動設定を終了する。なお、二回目以降はステップ１０３ｂで設定する。画像表示遅延時間は図７に示すように前グループで設定した黒挿入終了時間と現グループの黒挿入開始時間が等しくなるように設定する。
【００２９】
ステップ１０４では黒挿入重複駆動設定を行う。図８、９を用いて黒挿入重複駆動設定方法を説明する。図８は実施例１における黒挿入重複駆動設定方法を示したフローチャートである。図９は黒挿入重複設定の説明図である。まず、ステップ１０４ａに示した画像表示遅延時間設定では図９中の液晶応答に示すように、全てのプロジェクタで最も安定開始時間が遅いプロジェクタと同じ安定開始時間となるように画像表示遅延時間の設定を行う。設定方法は、マスタプロジェクタが各プロジェクタに設定する画像表示遅延時間を算出し、通信部を介してスレーブプロジェクタに画像表示遅延時間を送信する。スレーブプロジェクタは受信した画像表示遅延時間を遅延生成部２２に設定する。
【００３０】
ステップ１０４ｂでは図９中の黒挿入光源に示すように、全てのプロジェクタがステップ１０４ａで設定した安定開始時間と等しくなるよう黒挿入開始時間を設定する。設定方法は、マスタプロジェクタが各プロジェクタに設定する黒挿入開始時間を算出し、通信部を介してスレーブプロジェクタに黒挿入開始時間を送信する。スレーブプロジェクタは受信した黒挿入開始時間を黒挿入設定部４２１に設定する。
【００３１】
ステップ１０４ｃでは図９中の黒挿入光源に示すように、全てのプロジェクタで最小の安定時間に合わせて、黒挿入終了時間を設定する。黒挿入終了時間算出例はステップ１０３ｄで示した式（１）と同様である。算出された黒挿入終了時間は、マスタプロジェクタが通信部１３を介して全てのスレーブプロジェクタに送信する。スレーブプロジェクタは受信した黒挿入終了時間を黒挿入設定部４２１に設定する。
【００３２】
以上のように黒挿入設定を行うことで、プロジェクタは黒挿入非重複駆動と黒挿入重複駆動を行う。黒挿入非重複駆動設定時は、図７中に示す出力イメージのように黒挿入を行わない単体投射時に比べ画像のボケを抑制できる。また、単体黒挿入投射時に比べ安定時間を長く確保できるため、フリッカの発生を抑制でき、明るい画像を提供可能である。黒挿入重複駆動設定時は図９中に示す出力イメージのように、黒挿入を行わない単体投射時に比べ画像のボケを抑制できる。さらに、黒挿入非重複駆動時と同等のフリッカ抑制効果を保ち、かつ黒挿入非重複駆動時より明るい画像投射を提供可能である。
【００３３】
なお、本実施例では黒挿入非重複駆動設定時の画像表示遅延時間設定の順序は任意としたが、安定開始時間が速い順に設定してもよい。また、黒挿入非重複駆動設定時に各グループの光量が一定となるよう各プロジェクタの光量を調整してもよい。また、本実施例で黒挿入設定に用いたパラメータは一例であり、これらに限定されるものではない。また、今回の説明では安定時間の取得は実測により実施したが、安定時間の情報は各プロジェクタが機種情報としてあらかじめ保持しており、それを用いてもよい。
【００３４】
［実施例２］
以下、図１０乃至１４を参照して、本発明の第２の実施例による、スタック投射における黒挿入制御において、使用する画像投射装置の状態に適した明るさで動画ボケを抑制することを可能にした画像投射システムについて説明する。実施例２は、ＰＣが画像表示遅延時間設定を行った映像出力、黒挿入パラメータ設定を行う点が実施例１と異なる。実施例２では実施例１との相違点のみを説明する。相違点の無き点は実施例１と共通である。
【００３５】
図１０は、実施例２における画像投射システムの構成を示すブロック図である。実施例１とは、プロジェクタ１、２が遅延生成部２２、光センサ６０を有さない点と、ＰＣが遅延生成部１２１を有する点、光センサ４がある点が異なる。
【００３６】
ＰＣ３は、プロジェクタ１、２に映像を出力し、プロジェクタ１、２の黒挿入設定を行う画像出力装置である。ＰＣ３は、制御マイコン３１０と、画像処理エンジン３２０と、遅延生成部３３０と、映像信号出力部３４０と、通信部３５０を有する。制御マイコン３１０はＰＣ全体の制御を行う制御手段であり、各種操作を実行する。画像処理エンジン３２０は、プロジェクタ１、２へ出力する映像を作成する。遅延生成部３３０は画像処理エンジンで作成された映像を遅延させて映像信号出力部３４０へ出力する。
【００３７】
映像信号出力部３４０は、遅延作成部から出力された映像信号をプロジェクタ１、２へ出力する。通信部３５０は、シリアルケーブル、ＬＡＮケーブル等を通じて外部機器との通信を行う。光センサ４は計測部４１０により光量を計測し、計測した値を通信部４２０によりＰＣ３等の外部機器へ伝える光量検出手段である。
【００３８】
図１１は実施例２における黒挿入設定方法を示したフローチャートである。黒挿入設定が開始されるとＰＣ３がプロジェクタ１、２と通信を行いながら各種パラメータの設定を行う。ステップ２０１ではＰＣ３が通信部３５０を通じてプロジェクタ１、２の安定時間を取得する。図１２を用いてプロジェクタ１、２の安定時間取得方法について説明する。図１２は実施例２における安定時間取得方法を示したフローチャートである。
【００３９】
ステップ２０１ａではＰＣ３が映像信号出力部３４０を通じて任意のプロジェクタのみにテストパターンを表示する。使用するテストパターンは実施例１と同様のものとする。ステップ２０１ｂでは、ＰＣ３が通信部３５０を介して、テストパターンの表示に合わせ光センサ４に光量計測開始命令を通知する。光センサ４は光量計測開始命令を受信すると計測部４２０で投射画像の明るさを計測し、通信部４２０を介してＰＣ３に計測結果を通知する。ＰＣ３は計測結果に基づいて実施例１と同様の方法で各プロジェクタの安定開始時間、安定終了時間、安定時間を算出する。
【００４０】
ステップ２０１ｃではＰＣ３が接続されている全てのプロジェクタの安定時間計測が終了したかを判断し、終了していなければＳ２０１ａへ遷移し、終了していれば安定時間取得を終了し、ステップ２０２へ遷移する。ステップ２０２ではステップ２０１で取得した各プロジェクタの安定時間の安定時間に基づき処理の分岐を行う。取得したプロジェクタの安定時間の最小値が閾値を下回っていた場合、ステップ２０３に遷移し、そうでなければステップ２０４へ遷移する。ここで用いる閾値は例えばフリッカを感知しない安定時間や任意の明るさを確保できる安定時間等を設定する。
【００４１】
ステップ２０３では黒挿入非重複駆動設定を行う。図１３を用いて黒挿入非重複駆動設定方法を説明する。図１３は実施例２における黒挿入非重複駆動設定方法を示したフローチャートである。まず、図１３に示したＳ２０３ａでは、ステップ２０１で取得した安定時間に応じて各プロジェクタを複数のグループに分類する。グループの分類方法は例えば、各グループの個数が等しくなるように各プロジェクタの安定時間が近い順に分類する。なお、グループの分類方法については各グループの明るさが近くなるように分類する等適宜変更可能である。
【００４２】
ステップ２０３ｂでは図７中のＧｒ．ｎ液晶応答に示すように、グループｎのプロジェクタ全てをグループ内で最も安定開始時間が遅いプロジェクタと同じ安定開始時間となるように画像表示遅延時間の設定を行う。設定方法は、ＰＣ３がグループｎに属する各プロジェクタに設定する画像表示遅延時間を算出し、遅延生成部３３０にグループｎに属する各プロジェクタに対応する遅延時間を設定する。
【００４３】
ステップ２０３ｃでは、図７中のＧｒ．ｎ黒挿入光源に示すように、グループｎのプロジェクタ全てにステップ２０３ｂで設定した安定開始時間と等しくなるよう黒挿入開始時間を設定する。設定方法は、ＰＣ３が各プロジェクタに設定する黒挿入開始時間を算出し、通信部３５０を介してグループｎに属する各プロジェクタに黒挿入開始時間を送信する。グループｎに属する各プロジェクタは受信した黒挿入開始時間を黒挿入設定部に設定する。
【００４４】
ステップ２０３ｄでは、図７中のＧｒ．ｎ黒挿入光源に示すように、グループｎのプロジェクタ全てにグループ内最小の安定時間に合わせて黒挿入終了時間を設定する。黒挿入終了時間算出式は、実施例１で使用した式（１）を用いる。算出された黒挿入終了時間は、ＰＣ３が通信部３５０を介してグループｎに属する各プロジェクタに送信する。グループｎに属する各プロジェクタは受信した黒挿入終了時間を黒挿入設定部に設定する。
【００４５】
ステップ２０３ｅでは全グループの設定が終了しているかを判定し、終了していなければステップ２０３ｂへ遷移し、終了していれば黒挿入非重複駆動設定を終了する。なお、二回目以降はステップ２０３ｂで設定する。画像表示遅延時間は図７に示すように前グループで設定した黒挿入終了時間と現グループの黒挿入開始時間が等しくなるように設定する。ステップ２０４では黒挿入重複駆動設定を行う。図１４を用いて黒挿入重複駆動設定方法を説明する。図１４は実施例２における黒挿入重複駆動設定方法を示したフローチャートである。
【００４６】
まず、ステップ２０４ａに示した画像表示遅延時間設定では図９中の液晶応答に示すように、全てのプロジェクタで最も安定開始時間が遅いプロジェクタと同じ安定開始時間となるように画像表示遅延時間の設定を行う。設定方法は、ＰＣ３が各プロジェクタに設定する画像表示遅延時間を算出し、通信部３５０を介して各プロジェクタに対応する画像表示遅延時間を遅延生成部３３０に設定する。
【００４７】
ステップ２０４ｂでは図９中の黒挿入光源に示すように、全てのプロジェクタがステップ２０４ａで設定した安定開始時間と等しくなるよう黒挿入開始時間を設定する。設定方法は、ＰＣ３が各プロジェクタに設定する黒挿入開始時間を算出し、通信部３５０を介して各プロジェクタに黒挿入開始時間を送信する。各プロジェクタは受信した黒挿入開始時間を黒挿入設定部に設定する。
【００４８】
ステップ２０４ｃでは図９中の黒挿入光源に示すように、全てのプロジェクタで最小の安定時間に合わせて、黒挿入終了時間を設定する。黒挿入終了時間算出例はステップ２０３ｄで示した式（１）と同様である。算出された黒挿入終了時間は、ＰＣ３が通信部３５０を介して各プロジェクタに送信する。各プロジェクタは受信した黒挿入終了時間を黒挿入設定部に設定する。
【００４９】
以上のように黒挿入設定を行うことで、プロジェクタは黒挿入非重複駆動と黒挿入重複駆動を行う。黒挿入非重複駆動設定時は、図７中に示す出力イメージのように黒挿入を行わない単体投射時に比べ画像のボケを抑制できる。また、単体黒挿入投射時に比べ安定時間を長く確保できるため、フリッカの発生を抑制でき、明るい画像を提供可能である。黒挿入重複駆動設定時は図９中に示す出力イメージのように、黒挿入を行わない単体投射時に比べ画像のボケを抑制できる。さらに、黒挿入非重複駆動時と同等のフリッカ抑制効果を保ち、かつ黒挿入非重複駆動時より明るい画像投射を提供可能である。
【００５０】
以上、本発明の好ましい実施形態について説明したが、本発明はこれらの実施形態に限定されず、その要旨の範囲内で種々の変形及び変更が可能である。
【符号の説明】
【００５１】
１、２  プロジェクタ
３  ＰＣ（パーソナルコンピュータ）
１０  入力部
１１  映像信号入力部
１２  操作部
１３  通信部
２０  画像処理エンジン
２１  同期信号取得部
２２  遅延生成部
３０  液晶パネル
４０  制御マイコン
４１  光源制御部
４２  黒挿入制御部
４２１  黒挿入設定部
４２２  黒挿入駆動部
５０  光源ユニット
５１  ＬＥＤ駆動回路
５２  ＬＥＤユニット
６０  光センサ
７０  メモリ
８０  投射レンズ
【図１】
2018101076.tif 000003
【図２】
2018101076.tif 000004
【図３】
2018101076.tif 000005
【図４】
2018101076.tif 000006
【図５】
2018101076.tif 000007
【図６】
2018101076.tif 000008
【図７】
2018101076.tif 000009
【図８】
2018101076.tif 000010
【図９】
2018101076.tif 000011
【図１０】
2018101076.tif 000012
【図１１】
2018101076.tif 000013
【図１２】
2018101076.tif 000014
【図１３】
2018101076.tif 000015
【図１４】
2018101076.tif 000016